(57)【要約】  電気コネクタ１０は、絶縁性部材１１と、絶縁性部材１１に固定して保持される複数の信号端子１２と、絶縁性部材１１に対して弾性的に保持される複数のグランド端子１５とを備え、信号端子１２およびグランド端子１５は、絶縁性部材１１の第１方向Ｌに配列され、第１方向Ｌから見て隣り合うグランド端子１５および信号端子１２において、第１方向Ｌに直交する第２方向Ｓにおける信号端子１２の信号端子長さＡ２は、第２方向Ｓにおけるグランド端子１５のグランド端子長さＡ１よりも短く、信号端子１２は信号接触係合部１２ｃを有し、信号接触係合部１２ｃは、第１方向Ｌから見て、グランド端子長さＡ１の範囲内に位置する。
2021059970.tif 000002
【特許請求の範囲】
【請求項１】
絶縁性部材と、
前記絶縁性部材に固定して保持される複数の信号端子と、
前記絶縁性部材に対して弾性的に保持される複数のグランド端子とを備え、
前記信号端子および前記グランド端子は、前記絶縁性部材の第１方向に配列され、
前記第１方向から見て隣り合う前記グランド端子および前記信号端子において、前記第１方向に直交する第２方向における前記信号端子の信号端子長さは、前記第２方向における前記グランド端子のグランド端子長さよりも短く、
前記信号端子は信号接触係合部を有し、前記信号接触係合部は、前記第１方向から見て、前記グランド端子長さの範囲内に位置する、電気コネクタ。
【請求項２】
前記グランド端子は、グランド接触係合部を有し、前記グランド接触係合部は、前記第２方向における前記絶縁性部材の外縁寄りに位置する、請求項１に記載の電気コネクタ。
【請求項３】
前記グランド端子は、グランド接触係合部を有し、前記グランド接触係合部は、前記第２方向における前記絶縁性部材の中央寄りに位置する、請求項１に記載の電気コネクタ。
【請求項４】
前記グランド端子は、２つのグランド接触係合部を有し、前記２つのグランド接触係合部のうち、一方は前記第２方向における前記絶縁性部材の外縁寄りに位置し、他方は前記第２方向における前記絶縁性部材の中央寄りに位置する、請求項１に記載の電気コネクタ。
【請求項５】
前記グランド端子は、前記第２方向の一側において、一方側グランド接触係合部を有し、前記第２方向の他側において、他方側グランド接触係合部を有し、前記他方側グランド接触係合部は、前記第２方向において、前記信号接触係合部を挟んで、前記一方側グランド接触係合部の反対側に位置する、請求項１に記載の電気コネクタ。
【請求項６】
前記信号端子と前記グランド端子とを前記第１方向に配列した端子列が、前記第２方向において複数列で配設されており、
前記第２方向において、或る列での前記信号端子と、前記或る列の隣に位置する隣の列での前記グランド端子とが、隣り合って位置する、請求項１から請求項５のいずれか１項に記載の電気コネクタ。
【請求項７】
前記信号端子は、インサート成形によって前記絶縁性部材に対して固定して保持される、請求項１から請求項６のいずれか１項に記載の電気コネクタ。
【請求項８】
前記絶縁性部材の外周部は、外部接地部材によって取り囲まれている、請求項１から請求項７のいずれか１項に記載の電気コネクタ。
【請求項９】
前記電気コネクタは、メス型である、請求項１から請求項８のいずれか１項に記載の電気コネクタ。
【請求項１０】
請求項１から請求項９のいずれか１項に記載の前記電気コネクタと、前記電気コネクタに対して嵌合可能に構成される相手方の電気コネクタとを備える、電気コネクタセット。
【発明の詳細な説明】
【技術分野】
【０００１】
この発明は、電気コネクタおよび電気コネクタセットに関する。
【背景技術】
【０００２】
例えば、特許文献１は、複数の第１端子を有する第１コネクタと、該第１端子に係合する第２端子を有する第２コネクタとが嵌合するコネクタを開示する。第１コネクタの第１端子は、バネ性を備えるように第１ハウジングに弾性的に保持される弾性端子からなる。これに対して、第２コネクタの第２端子は、第２ハウジングに一体化されて第２ハウジングに固定的に保持される固定端子からなる。
【先行技術文献】
【特許文献】
【０００３】
【特許文献１】特開２０１６−８５９９４号公報
【発明の概要】
【発明が解決しようとする課題】
【０００４】
メガヘルツ帯やギガヘルツ帯のような高周波帯域で使用される電気コネクタでは、コネクタの内外で発生する電磁波（ノイズ）が問題になる。特許文献１のコネクタでは、第１端子に高周波帯域の信号を伝達する場合、電磁波（ノイズ）を十分に低減することが難しい。【０００５】
電磁波（ノイズ）問題の対策として、高周波信号が流れる信号端子をグランド端子で囲むことを考えると、特許文献１に開示されているように信号端子およびグランド端子が同一形状で構成される場合、信号端子を十分に囲むことは難しい。信号端子を十分に囲むためにグランド端子を大型化すれば、電気コネクタ全体のサイズが大きくなってしまう。そのため、電気コネクタのシールド性および小型化の両立が難しい。【０００６】
そこで、この発明の課題は、電気コネクタのシールド性および小型化を両立できる電気コネクタおよび電気コネクタセットを提供することである。
【課題を解決するための手段】
【０００７】
上記課題を解決するため、この発明の一態様に係る電気コネクタは、
絶縁性部材と、
前記絶縁性部材に固定して保持される複数の信号端子と、
前記絶縁性部材に対して弾性的に保持される複数のグランド端子とを備え、
前記信号端子および前記グランド端子は、前記絶縁性部材の第１方向に配列され、
前記第１方向から見て隣り合う前記グランド端子および前記信号端子において、前記第１方向に直交する第２方向における前記信号端子の信号端子長さは、前記第２方向における前記グランド端子のグランド端子長さよりも短く、
前記信号端子は信号接触係合部を有し、前記信号接触係合部は、前記第１方向から見て、前記グランド端子長さの範囲内に位置する。
【発明の効果】
【０００８】
この発明によれば、グランド端子よりも端子長さが短い信号端子が、グランド端子に囲まれるとともに、信号接触係合部がグランド端子長さの範囲内に位置するので、電気コネクタのシールド性および小型化を両立できる。
【図面の簡単な説明】
【０００９】
【図１】一実施形態に係る電気コネクタセットの斜視図である。
【図２】図１に示した電気コネクタセットを構成する第１コネクタの斜視図である。
【図３】図２に示した第１コネクタの平面図である。
【図４】図２に示した第１コネクタの展開図である。
【図５】図１に示した電気コネクタセットを構成する第２コネクタの斜視図である。
【図６】図５に示した第２コネクタの平面図である。
【図７】図５に示した第２コネクタの展開図である。
【図８】第１コネクタの第１固定信号端子および第１弾性グランド端子の斜視図である。
【図９】第２コネクタの第２弾性信号端子および第２固定グランド端子の斜視図である。
【図１０】図１のＸ−Ｘ線に沿った断面図である。
【発明を実施するための形態】
【００１０】
以下、図面を参照しながら、この発明に係る電気コネクタセット１の実施の形態を説明する。なお、各図には、説明の便宜上、互いに直交するＸ軸、Ｙ軸およびＺ軸を示している。
【００１１】
〔電気コネクタセット〕
図１は、嵌合状態にある、一実施形態に係る電気コネクタセット１を示す斜視図である。
【００１２】
図１に示すように、電気コネクタセット１は、第１コネクタ１０と、第１コネクタ１０に対して挿抜方向（Ｚ軸方向）に挿抜可能に嵌合する第２コネクタ２０とを備える。図１に示した電気コネクタセット１では、第２コネクタ２０を第１コネクタ１０に対向させた状態で第２コネクタ２０を第１コネクタ１０に向けて挿抜方向（Ｚ軸方向）に移動させることによって、第１コネクタ１０および第２コネクタ２０が互いに嵌合する。
【００１３】
〔第１コネクタ〕
図２は、図１に示した電気コネクタセット１を構成する第１コネクタ１０の斜視図である。図３は、図２に示した第１コネクタ１０の平面図である。図４は、図２に示した第１コネクタ１０の展開図である。
【００１４】
図２から図４に示すように、第１コネクタ１０は、第１絶縁性部材（絶縁性部材）１１と、第１固定信号端子（信号端子）１２と、第１弾性グランド端子（グランド端子）１５と、第１外部接地部材（外部接地部材）１６とを有する。第１固定信号端子１２は、第１絶縁性部材１１に固定して保持される信号端子であり、第１弾性グランド端子１５は、弾性的に変位可能なように第１絶縁性部材１１に保持されるグランド端子である。なお、第１固定信号端子１２と第１弾性グランド端子１５とは、第１絶縁性部材１１に対する保持のされ方が異なるだけで、端子の材質は同じであってもよい。
【００１５】
第１絶縁性部材１１としては、電気絶縁性の樹脂（例えば、液晶ポリマーなど）が用いられる。当該液晶ポリマーは、フッ素系樹脂よりも大きな誘電率を有する。第１絶縁性部材１１は、挿抜方向（Ｚ軸方向）から見て矩形形状をしており、２つの第１短手壁部３１，３１と、２つの第１長手壁部３２，３２と、１つの第１凸部３３と、第１底壁部３５とを有する。
【００１６】
２つの第１短手壁部３１，３１は、それぞれ、第１方向Ｌ（Ｘ軸方向）に対して直交する第２方向Ｓ（Ｙ軸方向）に延びており、並行であり且つ対向している。２つの第１長手壁部３２，３２は、それぞれ、第１方向Ｌ（Ｘ軸方向）に延びており、並行であり且つ対向している。第１凸部３３は、第１底壁部３５から挿抜方向（Ｚ軸方向）に突出している。
【００１７】
第１凸部３３および第１底壁部３５のそれぞれには、第１固定信号端子１２の一部を配設するための第１端子固定部３６が形成されている。成形後に第１端子固定部３６となる金型の部位に第１固定信号端子１２を配設した状態で、第１絶縁性部材１１が第１固定信号端子１２と一緒にインサート成形される。これにより、第１固定信号端子１２が、第１絶縁性部材１１の第１端子固定部３６に対して固定して保持される。したがって、第１固定信号端子１２は、第１絶縁性部材１１に固定された信号端子である。当該構成によれば、測定のためにプローブを第１固定信号端子１２に押し当てても、第１固定信号端子１２は、変形に抗することができる。そのため、被測定端子としての第１固定信号端子１２が測定時に変形することに起因して、測定値が変動することを抑制できる。
【００１８】
第１長手壁部３２と第１凸部３３と第１底壁部３５とのそれぞれには、第１弾性グランド端子１５の対応部分を装着するための第１端子装着部３７が形成されている。各第１端子装着部３７に第１弾性グランド端子１５を装着することによって、第１弾性グランド端子１５が弾性的に保持される。したがって、第１弾性グランド端子１５は、第１絶縁性部材１１に弾性的に保持されたグランド端子である。
【００１９】
第１固定信号端子１２は、第１コネクタ１０の第２方向Ｓ（Ｙ軸方向）に延びるように配設されている。図２および図３に示した第１コネクタ１０では、第１方向Ｌ（Ｘ軸方向）において４個の第１固定信号端子１２が配置されている。また、第２方向Ｓ（Ｙ軸方向）において、４個の第１固定信号端子１２を含む列が、２列に配置されている。したがって、第１コネクタ１０は、多極コネクタである。なお、第１固定信号端子１２の第２方向Ｓ（Ｙ軸方向）での配列は、２列に限られず、１列にあるいは３列以上にすることができる。また、第１固定信号端子１２の１列当たりの配置数は、４個に限られず、１個以上にすることができる。ただし、第２方向Ｓ（Ｙ軸方向）の配列数は、１列あたりの端子数よりも少ない。
【００２０】
第１コネクタ１０では、第１固定信号端子１２と第１弾性グランド端子１５とを第１方向Ｌ（Ｘ軸方向）に交互に配列した端子列が、第２方向Ｓ（Ｙ軸方向）において複数列で配設されている。図２および図３に示した第１コネクタ１０では、第１固定信号端子１２は、第２方向Ｓ（Ｙ軸方向）において、一列目および二列目の２列で配列されている。第２方向Ｓ（Ｙ軸方向）において、一列目（或る列）での第１固定信号端子１２と、一列目（或る列）の第２方向Ｓ（Ｙ軸方向）の隣に位置する二列目（隣の列）での第１弾性グランド端子１５とは、隣り合って位置している。換言すれば、第２方向Ｓ（Ｙ軸方向）において、一列目（或る列）での第１固定信号端子１２と、一列目（或る列）の第２方向Ｓ（Ｙ軸方向）の隣に位置する二列目（隣の列）での第１固定信号端子１２とは、隣り合って位置していない。当該構成によれば、一列目（或る列）での第１固定信号端子１２と、二列目（隣の列）での第１固定信号端子１２との間でのクロストークを抑制できる。
【００２１】
第１固定信号端子１２の列間における第２方向Ｓ（Ｙ軸方向）での電磁波の干渉を抑制するため、第１固定信号端子１２の列間に、すなわち、第１凸部３３に、導電性のシールド部材（図示せず）を設けてもよい。
【００２２】
第１固定信号端子１２は、図８に示すように、例えば、略Ｌ字状に凹んで屈曲しており、第１固定本体部１２ａと、第１信号実装部１２ｂと、第１内側信号接触部（信号接触係合部）１２ｃとを有する。第１固定本体部１２ａは、挿抜方向（Ｚ軸方向）に延びる接触延在部１２ａ１と、第２方向Ｓ（Ｙ軸方向）に延びる実装延在部１２ａ２とを有する。接触延在部１２ａ１は、相手方の信号端子（後述する第２弾性信号端子２２）に係合するための第１信号係合部として働く。実装延在部１２ａ２の下面には、第１信号実装部１２ｂが設けられている。
【００２３】
第１内側信号接触部（信号接触係合部）１２ｃは、接触延在部１２ａ１において第１絶縁性部材１１の外縁に対向するとともに第１絶縁性部材１１の中央寄りに位置する。ここで、中央寄りというのは、第１絶縁性部材１１の第２方向Ｓ（Ｙ軸方向）における中央側のことであり、第１凸部３３を備える場合には第１凸部３３の側のことを意味している。
【００２４】
第１固定信号端子１２と第２弾性信号端子２２とが係合するとき、第１内側信号接触部１２ｃと後述する第２内側信号接触部２２ｃとが当接する。これにより、第１固定信号端子１２では、信号接触係合部としての第１内側信号接触部１２ｃが、一ヶ所で形成される。
【００２５】
したがって、第１固定信号端子１２は、１つの第１内側信号接触部１２ｃを有する固定端子である。第１固定信号端子１２は、第１方向Ｌから見て、一端から他端までの第２方向Ｓにおける全長として、第１信号端子長さ（信号端子長さ）Ａ２を有する。
【００２６】
各第１固定信号端子１２は、第１方向（Ｘ軸方向）において離間して配列されている。第１固定信号端子１２は、信号線路に接続される導体であり、導電性を有する棒状の部材を折り曲げて構成されている。第１固定信号端子１２は、例えばリン青銅である。リン青銅は、導電性を有すると共に、弾性変形可能な材料である。第１固定信号端子１２の表面には、例えば、金メッキなどを行ってもよい。第１固定信号端子１２を流れる信号は、例えば、メガヘルツ帯やギガヘルツ帯の高周波信号である。
【００２７】
隣に位置する２つの第１固定信号端子１２，１２の間における電磁波の干渉を抑制するため、第１弾性グランド端子１５が設けられている。第１弾性グランド端子１５は、第１コネクタ１０の第２方向Ｓ（Ｙ軸方向）に延びるように配設されている。図２および図３に示した第１コネクタ１０では、例えば、第１方向Ｌ（Ｘ軸方向）において４個の第１弾性グランド端子１５が、第２方向Ｓ（Ｙ軸方向）において、複数列で、すなわち２列で配置されている。そして、第１弾性グランド端子１５および第１固定信号端子１２は、第１方向Ｌに交互に配列されている。なお、第１弾性グランド端子１５の配列は、２列に限られず、１列にあるいは３列以上にすることができる。また、第１弾性グランド端子１５の１列当たりの配置数は、４個に限られず、１個以上にすることができる。
【００２８】
第１弾性グランド端子１５は、図８に示すように、例えば、多段に屈曲しており、第１弾性本体部１５ａと、第１グランド実装部１５ｂと、第１内側グランド接触部１５ｃと、第１外側グランド接触部１５ｄとを有する。第１弾性本体部１５ａは、Ｕ字状に凹んで屈曲しているアーム部１５ａ１と、第２方向Ｓ（Ｙ軸方向）に延びる実装延在部１５ａ２と、屈曲しながらアーム部１５ａ１および実装延在部１５ａ２を接続する屈曲接続部１５ａ３とを有する。アーム部１５ａ１は、相手方のグランド端子（第２固定グランド端子２５）に係合するための第１グランド係合部として働く。アーム部１５ａ１は、屈曲接続部１５ａ３に対して片持ちで支持されてバネ性を有するように構成されている。実装延在部１５ａ２の下面には、第１グランド実装部１５ｂが設けられている。
【００２９】
第１内側グランド接触部（他方側グランド接触係合部）１５ｃは、第２方向Ｓ（Ｙ軸方向）において、第１内側信号接触部１２ｃを挟んで、第１外側グランド接触部１５ｄの反対側に位置する。言い換えると、第１内側グランド接触部（他方側グランド接触係合部）１５ｃは、アーム部１５ａ１において第１絶縁性部材１１の外縁に対向するとともに第１絶縁性部材１１の中央寄りに位置する。ここで、中央寄りというのは、第１絶縁性部材１１の第２方向Ｓ（Ｙ軸方向）における中央側のことであり、第１凸部３３を備える場合には第１凸部３３の側のことを意味している。
【００３０】
第１外側グランド接触部（一方側グランド接触係合部）１５ｄは、第２方向Ｓの一方側に位置するとともに、第１内側信号接触部１２ｃよりもさらに第２方向Ｓの一方側に位置する。言い換えると、第１外側グランド接触部（一方側グランド接触係合部）１５ｄは、アーム部１５ａ１において第１絶縁性部材１１の中央に対向するとともに第１絶縁性部材１１の外縁寄りに位置する。ここで、外縁寄りというのは、第１絶縁性部材１１の第２方向Ｓ（Ｙ軸方向）における外縁側のことであり、第１長手壁部３２を備える場合には第１長手壁部３２の側のことを意味している。上記構成によれば、第１内側信号接触部１２ｃからの電磁波（ノイズ）の不要輻射を抑制でき、また、外部からの電磁波（ノイズ）が第１内側信号接触部１２ｃに重畳することを抑制できる。
【００３１】
第１弾性グランド端子１５と後述する第２固定グランド端子２５とが係合するとき、第１内側グランド接触部１５ｃと後述する第２内側グランド接触部２５ｃとが当接するとともに、第１外側グランド接触部１５ｄと後述する第２外側グランド接触部２５ｄとが当接する。これにより、第１弾性グランド端子１５では、グランド接触部としての第１内側グランド接触部１５ｃおよび第１外側グランド接触部１５ｄが形成される。
【００３２】
したがって、第１弾性グランド端子１５は、第１内側グランド接触部１５ｃおよび第１外側グランド接触部１５ｄを有する弾性端子である。第１弾性グランド端子１５は、第１方向Ｌから見て、一端から他端までの第２方向Ｓにおける全長として、第１グランド端子長さ（グランド端子長さ）Ａ１を有する。
【００３３】
各第１弾性グランド端子１５は、第１方向Ｌ（Ｘ軸方向）において離間して配列されている。第１弾性グランド端子１５は、接地電位に接続される導体であり、導電性を有する棒状の部材を折り曲げて構成されている。第１弾性グランド端子１５は、例えばリン青銅である。リン青銅は、導電性を有すると共に、弾性変形可能な材料である。第１弾性グランド端子１５の表面には、例えば、金メッキなどを行ってもよい。
【００３４】
挿抜方向（Ｚ軸方向）からの平面視で、第１固定信号端子１２は、隣に位置する２つの第１弾性グランド端子１５，１５によって挟まれている。当該構成によれば、外部からの電磁波や第１固定信号端子１２からの不要輻射を抑制できる。
【００３５】
第１外部接地部材１６は、矩形形状をしており、外周部（２つの第１短手壁部３１，３１および２つの第１長手壁部３２，３２）の各上部に配置される。そして、第１絶縁性部材１１の外周部（２つの第１短手壁部３１，３１および２つの第１長手壁部３２，３２）は、第１外部接地部材１６によって囲まれている。第１外部接地部材１６は、接地電位に接続されることで、第１外部接地部材１６で囲まれる空間を電磁波遮蔽空間にして、外部からの電磁波や第１固定信号端子１２からの不要輻射をシールドできる。
【００３６】
第１外部接地部材１６は、その内周部分においてガイド部１７を有する。第１外部接地部材１６は、後述する第２コネクタ２０の第２外部接地部材２６との嵌合時における誘い込み（ガイド）機能と、接地電位に電気的に接続されるグランド端子としての機能とを有する。
【００３７】
第１外部接地部材１６は、接地電位に接続される導体である。第１外部接地部材１６としては、例えばリン青銅を用いることができる。リン青銅は、導電性を有するとともに、弾性変形可能な材料である。第１外部接地部材１６は、例えば、曲げ加工で形成される。
【００３８】
〔第２コネクタ〕
図５は、図１に示した電気コネクタセット１を構成する第２コネクタ２０の斜視図である。図６は、図５に示した第２コネクタ２０の平面図である。図７は、図５に示した第２コネクタ２０の展開図である。
【００３９】
第２コネクタ２０は、第２絶縁性部材（絶縁性部材）２１と、第２弾性信号端子（信号端子）２２と、第２固定グランド端子（グランド端子）２５と、第２外部接地部材（外部接地部材）２６とを有する。第２固定グランド端子２５および第２弾性信号端子２２は、第１方向Ｌに交互に配列されている。
【００４０】
第２絶縁性部材２１としては、電気絶縁性の樹脂（例えば、液晶ポリマーなど）が用いられる。当該液晶ポリマーは、フッ素系樹脂よりも大きな誘電率を有する。第２絶縁性部材２１は、挿抜方向（Ｚ軸方向）から見て矩形形状をしており、２つの第２短手壁部４１，４１と、２つの第２長手壁部４２，４２と、１つの第２凹部４３と、第２底壁部４５とを有する。
【００４１】
２つの第２短手壁部４１，４１は、それぞれ、第２方向Ｓ（Ｙ軸方向）に延びており、並行であり且つ対向している。２つの第２長手壁部４２，４２は、それぞれ、第１方向Ｌ（Ｘ軸方向）に延びており、並行であり且つ対向している。第２凹部４３は、第２底壁部４５と、第２長手壁部４２，４２と、第２短手壁部４１，４１とによって囲まれた空間である。前述した第１凸部３３が、第２凹部４３に収容されるとともに係合する。
【００４２】
第２長手壁部４２と第２底壁部４５とのそれぞれには、第２弾性信号端子２２の対応部分を装着するための第２端子装着部４６が形成されている。各第２端子装着部４６に第２弾性信号端子２２を装着することによって、第２弾性信号端子２２が弾性的に保持される。したがって、第２弾性信号端子２２は、第２絶縁性部材２１に弾性的に保持された信号端子である。
【００４３】
第２長手壁部４２および第２底壁部４５のそれぞれには、第２固定グランド端子２５の一部を配設するための第２端子固定部４７が形成されている。成形後に第２端子固定部４７となる金型の部位に第２固定グランド端子２５を配設した状態で、第２絶縁性部材２１が第２固定グランド端子２５と一緒にインサート成形される。これにより、第２固定グランド端子２５が、第２絶縁性部材２１の第２端子固定部４７に対して固定して保持される。したがって、第２固定グランド端子２５は、第２絶縁性部材２１に固定されたグランド端子である。当該構成によれば、測定のためにプローブを第２固定グランド端子２５に押し当てても、第２固定グランド端子２５は、変形に抗することができる。そのため、被測定端子としての第２固定グランド端子２５が測定時に変形することに起因して、測定値が変動することを抑制できる。
【００４４】
第２弾性信号端子２２は、第２コネクタ２０の第２方向Ｓ（Ｙ軸方向）に延びるように配設されている。図５および図６に示した第２コネクタ２０では、例えば、第１方向Ｌ（Ｘ軸方向）において４個の第２弾性信号端子２２が、第２方向Ｓ（Ｙ軸方向）において、複数列で、すなわち２列で配置されている。したがって、第２弾性信号端子２２は、多極の信号端子である。なお、第２弾性信号端子２２の第２方向Ｓ（Ｙ軸方向）での配列は、２列に限られず、１列にあるいは３列以上にすることができる。また、第２弾性信号端子２２の１列当たりの配置数は、４個に限られず、１個以上にすることができる。
【００４５】
第２コネクタ２０では、第２弾性信号端子２２と第２固定グランド端子２５とを第１方向Ｌ（Ｘ軸方向）に交互に配列した端子列が、第２方向Ｓ（Ｙ軸方向）において複数列で配設されている。図４および図５に示した第２コネクタ２０では、第２弾性信号端子２２は、第２方向Ｓ（Ｙ軸方向）において、一列目および二列目の２列で配列されている。第２方向Ｓ（Ｙ軸方向）において、一列目（或る列）での第１固定信号端子１２と、一列目（或る列）の第２方向Ｓ（Ｙ軸方向）の隣に位置する二列目（隣の列）での第１弾性グランド端子１５とは、隣り合って位置している。換言すれば、第２方向Ｓ（Ｙ軸方向）において、一列目（或る列）での第２弾性信号端子２２と、一列目（或る列）の第２方向Ｓ（Ｙ軸方向）の隣に位置する二列目（隣の列）での第２弾性信号端子２２とは、隣り合って位置していない。当該構成によれば、一列目（或る列）での第２弾性信号端子２２と、二列目（隣の列）での第２弾性信号端子２２との間でのクロストークを抑制できる。
【００４６】
第２弾性信号端子２２は、図９に示すように、例えば、略Ｊ字状に突出するように屈曲しており、第２弾性本体部２２ａと、第２信号実装部２２ｂと、第２内側信号接触部（信号接触係合部）２２ｃとを有する。第２弾性本体部２２ａは、Ｊ字状に突出するように屈曲した屈曲先端部２２ａ１と、第２方向Ｓ（Ｙ軸方向）に延びる実装延在部２２ａ２とを有する。屈曲先端部２２ａ１は、実装延在部２２ａ２に対して片持ちで支持されてバネ性を有するように構成されている。屈曲先端部２２ａ１は、相手方の信号端子（第１固定信号端子１２）に係合するための第２信号係合部として働く。実装延在部２２ａ２の上面には、第２信号実装部２２ｂが設けられている。
【００４７】
第２内側信号接触部（信号接触係合部）２２ｃは、屈曲先端部２２ａ１において第２絶縁性部材２１の中央に対向するとともに第２絶縁性部材２１の中央寄りに位置する。ここで、中央寄りというのは、第２絶縁性部材２１の第２方向Ｓ（Ｙ軸方向）における中央側のことであり、第２凹部４３を備える場合には第２凹部４３の側のことを意味している。第１固定信号端子１２と第２弾性信号端子２２とが係合するとき、第１内側信号接触部１２ｃと第２内側信号接触部２２ｃとが当接する。これにより、第２弾性信号端子２２では、信号接触係合部としての第２内側信号接触部２２ｃが、一ヶ所で形成される。
【００４８】
したがって、第２弾性信号端子２２は、１つの第２内側信号接触部２２ｃを有する弾性端子である。第２弾性信号端子２２は、第１方向Ｌから見て、一端から他端までの第２方向Ｓにおける全長として、第２信号端子長さ（信号端子長さ）Ｂ２を有する。
【００４９】
各第２弾性信号端子２２は、第１方向Ｌ（Ｘ軸方向）において離間して配列されている。第２弾性信号端子２２は、信号電位に接続される導体であり、導電性を有する棒状の部材を折り曲げて構成されている。第２弾性信号端子２２は、例えばリン青銅である。リン青銅は、導電性を有すると共に、弾性変形可能な材料である。第２弾性信号端子２２の表面には、例えば、金メッキなどを行ってもよい。第２弾性信号端子２２を流れる信号は、例えば、メガヘルツ帯やギガヘルツ帯の高周波信号である。
【００５０】
第２固定グランド端子２５は、図９に示すように、例えば、複数段に屈曲してＵ字状に突出しており、第２固定本体部２５ａと、第２グランド実装部２５ｂと、第２内側グランド接触部２５ｃと、第２外側グランド接触部２５ｄとを有する。第２固定本体部２５ａは、Ｕ字状に突出する屈曲接触部２５ａ１と、第２方向Ｓ（Ｙ軸方向）に延びる実装延在部２５ａ２とを有する。屈曲接触部２５ａ１は、相手方のグランド端子（第１弾性グランド端子１５）に係合するための第２グランド係合部として働く。実装延在部２５ａ２の上面には、第２グランド実装部２５ｂが設けられている。
【００５１】
第２内側グランド接触部（他方側グランド接触係合部）２５ｃは、第２方向Ｓ（Ｙ軸方向）において、第２内側信号接触部２２ｃを挟んで、第２外側グランド接触部２５ｄの反対側に位置する。言い換えると、第２内側グランド接触部（他方側グランド接触係合部）２５ｃは、屈曲接触部２５ａ１において第２絶縁性部材２１の中央に対向するとともに第２絶縁性部材２１の中央寄りに位置する。ここで、中央寄りというのは、第２絶縁性部材２１の第２方向Ｓ（Ｙ軸方向）における中央側のことであり、第２凹部４３を備える場合には第２凹部４３の側のことを意味している。
【００５２】
第２外側グランド接触部（一方側グランド接触係合部）２５ｄは、第２方向Ｓの一方側に位置するとともに、第２内側信号接触部２２ｃよりもさらに第２方向Ｓの一方側に位置する。言い換えると、第２外側グランド接触部（一方側グランド接触係合部）２５ｄは、屈曲接触部２５ａ１において第２絶縁性部材２１の外縁に対向するとともに第２絶縁性部材２１の外縁寄りに位置する。ここで、外縁寄りというのは、第２絶縁性部材２１の第２方向Ｓ（Ｙ軸方向）における外縁側のことであり、第２凹部４３を備える場合には第２凹部４３の第２方向Ｓ（Ｙ軸方向）における反対側のことを意味している。
【００５３】
第１弾性グランド端子１５と第２固定グランド端子２５とが係合するとき、第１内側グランド接触部１５ｃと第２内側グランド接触部２５ｃとが当接するとともに、第１外側グランド接触部１５ｄと第２外側グランド接触部２５ｄとが当接する。これにより、第２固定グランド端子２５では、グランド接触部としての第２内側グランド接触部２５ｃおよび第２外側グランド接触部２５ｄが形成される。
【００５４】
したがって、第２固定グランド端子２５は、第２内側グランド接触部２５ｃおよび第２外側グランド接触部２５ｄを有する固定端子である。第２固定グランド端子２５は、第１方向Ｌから見て、一端から他端までの第２方向Ｓにおける全長として、第２グランド端子長さ（グランド端子長さ）Ｂ１を有する。
【００５５】
各第２固定グランド端子２５は、第１方向Ｌ（Ｘ軸方向）において離間して配列されている。第２固定グランド端子２５は、接地電位に接続される導体であり、導電性を有する棒状の部材を折り曲げて構成されている。第２固定グランド端子２５は、例えばリン青銅である。リン青銅は、導電性を有すると共に、弾性変形可能な材料である。第２固定グランド端子２５の表面には、例えば、金メッキなどを行ってもよい。
【００５６】
挿抜方向（Ｚ軸方向）からの平面視で、第２弾性信号端子２２は、隣に位置する２つの第２固定グランド端子２５，２５によって挟まれている。当該構成によれば、外部からの電磁波や第２弾性信号端子２２からの不要輻射を抑制できる。
【００５７】
第２外部接地部材２６，２６は、対応する第２短手壁部４１，４１にそれぞれ配置されている。すなわち、各第２外部接地部材２６は、第１方向Ｌ（Ｘ軸方向）において対向して離間して配置されている。第２外部接地部材２６は、前述した第１外部接地部材１６に対して嵌合する嵌合機能と、接地電位に電気的に接続されるグランド端子としての機能とを有する。
【００５８】
第２外部接地部材２６は、接地電位に接続される導体である。第２外部接地部材２６としては、例えばリン青銅を用いることができる。リン青銅は、導電性を有するとともに、弾性変形可能な材料である。第２外部接地部材２６は、例えば、曲げ加工で形成される。第２外部接地部材２６は、接地電位に接続されることで、第２外部接地部材２６で囲まれる空間を電磁波遮蔽空間にして、外部からの電磁波や第２弾性信号端子２２からの不要輻射をシールドできる。
【００５９】
〔電気コネクタセットにおける係合構造、嵌合構造〕
図１０を参照しながら、電気コネクタセット１における係合構造および嵌合構造を説明する。図１０は、図１のＸ−Ｘ線に沿った断面図である。
【００６０】
電気コネクタセット１では、第１コネクタ（電気コネクタ）１０に対して第２コネクタ（相手方の電気コネクタ）２０を対向させた状態で、第２コネクタ２０を挿抜方向（Ｚ軸方向）に押し込むことによって、第２コネクタ２０が第１コネクタ１０に嵌合する。
【００６１】
このとき、第１コネクタ１０の第１外部接地部材１６が、第２コネクタ２０の第２外部接地部材２６に嵌合する。嵌合状態では、第２弾性信号端子２２の第２弾性本体部２２ａが、第１固定信号端子１２の第１固定本体部１２ａに係合する。このとき、図１０に示すように、第２弾性信号端子２２の第２内側信号接触部（信号接触係合部）２２ｃが第１固定信号端子１２の第１内側信号接触部（信号接触係合部）１２ｃに接触している。これにより、第１固定信号端子１２と第２弾性信号端子２２とが電気的に接続される。
【００６２】
そして、上記嵌合状態では、第２固定グランド端子２５の第２固定本体部２５ａが、第１弾性グランド端子１５の第１弾性本体部１５ａに係合する。このとき、第１弾性グランド端子１５の第１内側グランド接触部１５ｃが、第２固定グランド端子２５の第２内側グランド接触部２５ｃに接触するとともに、第１弾性グランド端子１５の第１外側グランド接触部１５ｄが、第２固定グランド端子２５の第２外側グランド接触部２５ｄに接触する。これにより、第１弾性グランド端子１５と第２固定グランド端子２５とが電気的に接続される。
【００６３】
第１コネクタ１０では、第１固定信号端子１２および第１弾性グランド端子１５が、第１方向Ｌ（Ｘ軸方向）に交互に配置されている。それとともに、第２コネクタ２０では、第２弾性信号端子２２および第２固定グランド端子２５が、第１方向Ｌ（Ｘ軸方向）に交互に配置されている。これらの端子１２，１５，２２，２５の各端子長さＡ１，Ａ２，Ｂ２，Ｂ１の関係を示すために、図１０において、図１のＸ−Ｘ線の第１方向Ｌの前後に位置して図示されない端子１２，１５，２２，２５の各端子長さＡ１，Ａ２，Ｂ２，Ｂ１を、破線で仮想的に示している。
【００６４】
第１コネクタ１０において、第１方向Ｌ（Ｘ軸方向）から見て、第２方向Ｓにおける第１弾性グランド端子１５の第１グランド端子長さＡ１は、第２方向Ｓにおける第１固定信号端子１２の第１信号端子長さＡ２よりも長いように構成されている。換言すれば、第１コネクタ１０において、第１方向Ｌ（Ｘ軸方向）から見て、第２方向Ｓにおける第１固定信号端子１２の第１信号端子長さＡ２は、第２方向Ｓにおける第１弾性グランド端子１５の第１グランド端子長さＡ１よりも短いように構成されている。第２コネクタ２０において、第１方向Ｌ（Ｘ軸方向）から見て、第２方向Ｓにおける第２固定グランド端子２５の第２グランド端子長さＢ１は、第２方向Ｓにおける第２弾性信号端子２２の第２信号端子長さＢ２よりも長いように構成されている。換言すれば、第２コネクタ２０において、第１方向Ｌ（Ｘ軸方向）から見て、第２方向Ｓにおける第２弾性信号端子２２の第２信号端子長さＢ２は、第２方向Ｓにおける第２固定グランド端子２５の第２グランド端子長さＢ１よりも短いように構成されている。
【００６５】
第１コネクタ１０において、第１固定信号端子１２の第１内側信号接触部１２ｃは、第１方向Ｌ（Ｘ軸方向）に沿って側面視すると、第１弾性グランド端子１５の第１グランド端子長さＡ１の範囲内に位置している。換言すれば、第１固定信号端子１２の第１内側信号接触部１２ｃを或る平面(ＸＹ平面)に投影すると、第１内側信号接触部１２ｃは、第１弾性グランド端子１５のＹ軸方向における一端と他端との間に位置している。第２コネクタ２０において、第２弾性信号端子２２の第２内側信号接触部２２ｃは、第１方向Ｌ（Ｘ軸方向）に沿って側面視すると、第２固定グランド端子２５の第２グランド端子長さＢ１の範囲内に位置している。換言すれば、第２弾性信号端子２２の第２内側信号接触部２２ｃを或る平面(ＸＹ平面)に投影すると、第２内側信号接触部２２ｃは、第２固定グランド端子２５のＹ軸方向における一端と他端との間に位置している。また、固定端子(第１固定信号端子１２、第２固定グランド端子２５など)は、弾性端子(第１弾性グランド端子１５、第２弾性信号端子２２など)よりも変形しにくいので第２方向Ｓにおける位置変動も少なく、嵌合前後における端子の位置変動によるシールド性の低下を抑制できる。
【００６６】
第１コネクタ１０において、第１弾性グランド端子１５の第１外側グランド接触部１５ｄは、第１固定信号端子１２の第１内側信号接触部１２ｃに対して第２方向Ｓ（Ｙ軸方向）の外側に位置している。当該構成によれば、第２方向Ｓ（Ｙ軸方向）から見て、第１内側信号接触部１２ｃが、隣に位置する２つの第１外側グランド接触部１５ｄ，１５ｄによって囲まれているので、第２方向Ｓ（Ｙ軸方向）における、外部からの電磁波や第１固定信号端子１２からの不要輻射を抑制できる。
【００６７】
第２コネクタ２０において、第２固定グランド端子２５の第２外側グランド接触部２５ｄは、第２弾性信号端子２２の第２内側信号接触部２２ｃに対して第２方向Ｓ（Ｙ軸方向）の外側に位置している。当該構成によれば、第２方向Ｓ（Ｙ軸方向）から見て、第２内側信号接触部２２ｃが、隣に位置する２つの第２外側グランド接触部２５ｄ，２５ｄによって囲まれているので、第２方向Ｓ（Ｙ軸方向）における、外部からの電磁波や第２弾性信号端子２２からの不要輻射を抑制できる。
【００６８】
第１コネクタ１０において、第１弾性グランド端子１５の第１内側グランド接触部１５ｃは、第１固定信号端子１２の第１内側信号接触部１２ｃに対して第２方向Ｓ（Ｙ軸方向）の内側に位置している。当該構成によれば、第１方向Ｌ（Ｘ軸方向）から見て、第１内側信号接触部１２ｃが第１内側グランド接触部１５ｃと第１外側グランド接触部１５ｄとによって囲まれているので、第１方向Ｌ（Ｘ軸方向）における、外部からの電磁波や第１固定信号端子１２からの不要輻射を抑制できる。
【００６９】
第２コネクタ２０において、第２固定グランド端子２５の第２内側グランド接触部２５ｃは、第２弾性信号端子２２の第２内側信号接触部２２ｃに対して第２方向Ｓ（Ｙ軸方向）の内側に位置している。当該構成によれば、第１方向Ｌ（Ｘ軸方向）から見て、第２内側信号接触部２２ｃが第２内側グランド接触部２５ｃと第２外側グランド接触部２５ｄとによって囲まれているので、第１方向Ｌ（Ｘ軸方向）における、外部からの電磁波や第２弾性信号端子２２からの不要輻射を抑制できる。
【００７０】
したがって、上記構成の電気コネクタ１０によれば、グランド端子１５よりも端子長さＡ２が短い信号端子１２が、グランド端子１５に囲まれるとともに、信号接触部１２ｃがグランド端子長さＡ１の範囲内に位置するので、電気コネクタ１０のシールド性および小型化を両立できる。
【００７１】
図１に示すように、嵌合時において第２コネクタ２０が第１コネクタ１０に収容されているので、第１コネクタ１０がメス型であり、第２コネクタ２０がオス型である。第１弾性グランド端子１５が所望のバネ性を有するためには、所定のバネ長が必要になるので、第１弾性グランド端子１５が第２方向Ｓ（Ｙ軸方向）に長くなる。したがって、上述したように、第１弾性グランド端子１５をメス型の第１コネクタ１０に配設することにより、電気コネクタセット１が第２方向Ｓ（Ｙ軸方向）に長くなることを抑制できる。なお、第１固定信号端子１２および第１弾性グランド端子１５をオス型の第２コネクタ２０に配設し、第２弾性信号端子２２および第２固定グランド端子２５をメス型の第１コネクタ１０に配設する構成にすることもできる。
【００７２】
この発明の具体的な実施の形態について説明したが、この発明は、上記実施形態に限定されるものではなく、この発明の範囲内で種々変更して実施することができる。
【００７３】
上記実施の形態では、信号端子１２およびグランド端子１５が、絶縁性部材１１の第１方向Ｌに交互に配列されているが、交互に配列されない場合もある。例えば、信号端子１２およびグランド端子１５が、絶縁性部材１１の第１方向Ｌにおいて、信号端子１２、グランド端子１５、グランド端子１５、信号端子１２の順で配列されることができる。また、信号端子１２を流れる信号がデジタル信号である場合、絶縁性部材１１の第１方向Ｌにおいて、信号端子１２、信号端子１２の順で配列されることができる。
【００７４】
この発明および実施形態をまとめると、次のようになる。
【００７５】
この発明の一態様に係る電気コネクタ１０は、
絶縁性部材１１と、
前記絶縁性部材１１に固定して保持される複数の信号端子１２と、
前記絶縁性部材１１に対して弾性的に保持される複数のグランド端子１５とを備え、
前記信号端子１２および前記グランド端子１５は、前記絶縁性部材１１の第１方向Ｌに配列され、
前記第１方向Ｌから見て隣り合う前記グランド端子１５および前記信号端子１２において、前記第１方向Ｌに直交する第２方向Ｓにおける前記信号端子１２の信号端子長さＡ２は、前記第２方向Ｓにおける前記グランド端子１５のグランド端子長さＡ１よりも短く、
前記信号端子１２は信号接触係合部１２ｃを有し、前記信号接触係合部１２ｃは、前記第１方向Ｌから見て、前記グランド端子長さＡ１の範囲内に位置することを特徴とする。
【００７６】
上記構成によれば、グランド端子１５よりも端子長さＡ２が短い信号端子１２が、グランド端子１５に囲まれるとともに、信号接触係合部１２ｃがグランド端子長さＡ１の範囲内に位置するので、電気コネクタ１０のシールド性および小型化を両立できる。
【００７７】
また、一実施形態の電気コネクタ１０では、
前記グランド端子１５は、グランド接触係合部１５ｄを有し、前記グランド接触係合部１５ｄは、前記第２方向Ｓにおける前記絶縁性部材１１の外縁寄りに位置する。
【００７８】
上記実施形態によれば、外部からの電磁波（ノイズ）や外部への信号端子１２からの不要輻射を抑制できる。
【００７９】
また、一実施形態の電気コネクタ１０では、
前記グランド端子１５は、グランド接触係合部１５ｃを有し、前記グランド接触係合部１５ｃは、前記第２方向Ｓにおける前記絶縁性部材１１の中央寄りに位置する。
【００８０】
上記実施形態によれば、絶縁性部材１１の内部側での電磁波（ノイズ）の干渉を抑制できる。
【００８１】
また、一実施形態の電気コネクタ１０では、
前記グランド端子１５は、２つのグランド接触係合部１５ｃ，１５ｄを有し、前記２つのグランド接触係合部１５ｃ，１５ｄのうち、一方は前記第２方向Ｓにおける前記絶縁性部材１１の外縁寄りに位置し、他方は前記第２方向Ｓにおける前記絶縁性部材１１の中央寄りに位置する。
【００８２】
上記実施形態によれば、外部からの電磁波（ノイズ）や外部への信号端子１２からの不要輻射を抑制できるとともに、絶縁性部材１１の内部側での電磁波（ノイズ）の干渉を抑制できる。
【００８３】
また、一実施形態の電気コネクタ１０では、
前記グランド端子１５は、前記第２方向Ｓの一側において、一方側グランド接触係合部１５ｄを有し、前記第２方向Ｓの他側において、他方側グランド接触係合部１５ｃを有し、前記他方側グランド接触係合部１５ｃは、前記第２方向Ｓにおいて、前記信号接触係合部１２ｃを挟んで、前記一方側グランド接触係合部１５ｄの反対側に位置する。
【００８４】
上記実施形態によれば、第１方向Ｌ（Ｘ軸方向）から見て、信号接触係合部１２ｃが内側グランド接触部１５ｃと外側グランド接触部１５ｄとによって囲まれているので、第１方向Ｌ（Ｘ軸方向）における、外部からの電磁波や信号端子１２からの不要輻射を抑制できる。
【００８５】
また、一実施形態の電気コネクタ１０では、
前記信号端子１２と前記グランド端子１５とを前記第１方向Ｌに交互に配列した端子列が、前記第２方向Ｓにおいて複数列で配設されており、
前記第２方向Ｓにおいて、或る列での前記信号端子１２と、前記或る列の隣に位置する隣の列での前記グランド端子１５とが、隣り合って位置する。
【００８６】
上記実施形態によれば、一列目（或る列）での信号端子１２と、二列目（隣の列）での信号端子１２との間でのクロストークを抑制できる。
【００８７】
また、一実施形態の電気コネクタ１０では、
前記信号端子１２は、インサート成形によって前記絶縁性部材１１に対して固定して保持される。
【００８８】
上記実施形態によれば、測定のためにプローブを信号端子１２に押し当てても、信号端子１２は、変形に抗することができる。
【００８９】
また、一実施形態の電気コネクタ１０では、
前記絶縁性部材１１の外周部は、外部接地部材１６によって取り囲まれている。
【００９０】
上記実施形態によれば、外部接地部材１６で囲まれる空間を電磁波遮蔽空間にして、外部からの電磁波や信号端子１２からの不要輻射をシールドできる。
【００９１】
また、一実施形態の電気コネクタ１０では、
前記電気コネクタは、メス型である。
【００９２】
上記実施形態によれば、グランド端子１５をメス型の電気コネクタ１０に配設することにより、第２方向Ｓ（Ｙ軸方向）に長くなることを抑制できる。
【００９３】
この発明の一態様に係る電気コネクタセット１は、
上述した電気コネクタ１０と、前記電気コネクタ１０に対して嵌合可能に構成される相手方の電気コネクタ２０とを備えることを特徴とする。
【００９４】
上記構成によれば、電気コネクタ１０のシールド性および小型化を両立できる電気コネクタセット１を提供できる。
【符号の説明】
【００９５】
１…電気コネクタセット
１０…第１コネクタ（電気コネクタ）
１１…第１絶縁性部材（絶縁性部材）
１２…第１固定信号端子（信号端子）
１２ａ…第１固定本体部
１２ａ１…接触延在部
１２ａ２…実装延在部
１２ｂ…第１信号実装部
１２ｃ…第１内側信号接触部（信号接触係合部）
１５…第１弾性グランド端子（グランド端子）
１５ａ…第１弾性本体部
１５ａ１…アーム部
１５ａ２…実装延在部
１５ａ３…屈曲接続部
１５ｂ…第１グランド実装部
１５ｃ…第１内側グランド接触部（他方側グランド接触係合部）
１５ｄ…第１外側グランド接触部（一方側グランド接触係合部）
１６…第１外部接地部材（外部接地部材）
１７…ガイド部
２０…第２コネクタ（相手方の電気コネクタ）
２１…第２絶縁性部材（絶縁性部材）
２２…第２弾性信号端子（信号端子）
２２ａ…第２弾性本体部
２２ａ１…屈曲先端部
２２ａ２…実装延在部
２２ｂ…第２信号実装部
２２ｃ…第２内側信号接触部（信号接触係合部）
２５…第２固定グランド端子（グランド端子）
２５ａ…第２固定本体部
２５ａ１…屈曲接触部
２５ａ２…実装延在部
２５ｂ…第２グランド実装部
２５ｃ…第２内側グランド接触部（他方側グランド接触係合部）
２５ｄ…第２外側グランド接触部（一方側グランド接触係合部）
２６…第２外部接地部材（外部接地部材）
３１…第１短手壁部
３２…第１長手壁部
３３…第１凸部
３５…第１底壁部
３６…第１端子固定部
３７…第１端子装着部
４１…第２短手壁部
４２…第２長手壁部
４３…第２凹部
４５…第２底壁部
４６…第２端子装着部
４７…第２端子固定部
Ａ１…第１グランド端子長さ（グランド端子長さ）
Ａ２…第１信号端子長さ（信号端子長さ）
Ｂ１…第２グランド端子長さ（グランド端子長さ）
Ｂ２…第２信号端子長さ（信号端子長さ）
Ｌ…第１方向
Ｓ…第２方向
【図１】
2021059970.tif 000003
【図２】
2021059970.tif 000004
【図３】
2021059970.tif 000005
【図４】
2021059970.tif 000006
【図５】
2021059970.tif 000007
【図６】
2021059970.tif 000008
【図７】
2021059970.tif 000009
【図８】
2021059970.tif 000010
【図９】
2021059970.tif 000011
【図１０】
2021059970.tif 000012
【手続補正書】
【提出日】令和3年7月26日(2021.7.26)
【手続補正１】
【補正対象書類名】特許請求の範囲
【補正対象項目名】全文
【補正方法】変更
【補正の内容】
【特許請求の範囲】
【請求項１】
絶縁性部材と、
前記絶縁性部材に固定して保持される複数の信号端子と、
前記絶縁性部材に対して弾性的に保持される複数のグランド端子とを備え、
前記信号端子および前記グランド端子は、前記絶縁性部材の第１方向に配列され、
前記第１方向から見て隣り合う前記グランド端子および前記信号端子において、前記第１方向に直交する第２方向における前記信号端子の信号端子長さは、前記第２方向における前記グランド端子のグランド端子長さよりも短く、
前記信号端子は信号接触係合部を有し、前記信号接触係合部は、前記第１方向から見て、前記グランド端子長さの範囲内に位置し、
前記グランド端子は、グランド接触係合部を有し、前記グランド接触係合部は、前記第２方向における前記絶縁性部材の外縁寄りに位置する、電気コネクタ。
【請求項２】
絶縁性部材と、
前記絶縁性部材に固定して保持される複数の信号端子と、
前記絶縁性部材に対して弾性的に保持される複数のグランド端子とを備え、
前記信号端子および前記グランド端子は、前記絶縁性部材の第１方向に配列され、
前記第１方向から見て隣り合う前記グランド端子および前記信号端子において、前記第１方向に直交する第２方向における前記信号端子の信号端子長さは、前記第２方向における前記グランド端子のグランド端子長さよりも短く、
前記信号端子は信号接触係合部を有し、前記信号接触係合部は、前記第１方向から見て、前記グランド端子長さの範囲内に位置し、
前記グランド端子は、２つのグランド接触係合部を有し、前記２つのグランド接触係合部のうち、一方は前記第２方向における前記絶縁性部材の外縁寄りに位置し、他方は前記第２方向における前記絶縁性部材の中央寄りに位置する、電気コネクタ。
【請求項３】
絶縁性部材と、
前記絶縁性部材に固定して保持される複数の信号端子と、
前記絶縁性部材に対して弾性的に保持される複数のグランド端子とを備え、
前記信号端子および前記グランド端子は、前記絶縁性部材の第１方向に配列され、
前記第１方向から見て隣り合う前記グランド端子および前記信号端子において、前記第１方向に直交する第２方向における前記信号端子の信号端子長さは、前記第２方向における前記グランド端子のグランド端子長さよりも短く、
前記信号端子は信号接触係合部を有し、前記信号接触係合部は、前記第１方向から見て、前記グランド端子長さの範囲内に位置し、
前記グランド端子は、前記第２方向の一側において、一方側グランド接触係合部を有し、前記第２方向の他側において、他方側グランド接触係合部を有し、前記他方側グランド接触係合部は、前記第２方向において、前記信号接触係合部を挟んで、前記一方側グランド接触係合部の反対側に位置する、電気コネクタ。
【請求項４】
前記信号端子と前記グランド端子とを前記第１方向に配列した端子列が、前記第２方向において複数列で配設されており、
前記第２方向において、或る列での前記信号端子と、前記或る列の隣に位置する隣の列での前記グランド端子とが、隣り合って位置する、請求項１から請求項３のいずれか１項に記載の電気コネクタ。
【請求項５】
前記信号端子は、インサート成形によって前記絶縁性部材に対して固定して保持される、請求項１から請求項４のいずれか１項に記載の電気コネクタ。
【請求項６】
前記絶縁性部材の外周部は、外部接地部材によって取り囲まれている、請求項１から請求項５のいずれか１項に記載の電気コネクタ。
【請求項７】
前記電気コネクタは、メス型である、請求項１から請求項６のいずれか１項に記載の電気コネクタ。
【請求項８】
前記グランド端子は、導電性を有する棒状の部材を折り曲げて構成されている、請求項１から請求項７のいずれか１項に記載の電気コネクタ。
【請求項９】
請求項１から請求項８のいずれか１項に記載の前記電気コネクタと、前記電気コネクタに対して嵌合可能に構成される相手方の電気コネクタとを備える、電気コネクタセット。
【国際調査報告】
2021059970.tif 000013
2021059970.tif 000014
2021059970.tif 000015
2021059970.tif 000016